(57)【要約】【課題】ピグテールを仮保持せずにブラシを設置可能なブラシ保持装置および組立方法を提供する。【解決手段】ブラシ箱４に形成されたスリット４ｂからピグテール１を引き出した状態で、ブラシ箱４の整流子１０とは反対側の面に形成された開口部４ａからブラシ２およびブラシバネ３の順番で挿入し、開口部４ａをキャップ５で塞ぐことにより、組立時にブラシ２を整流子１０に押し付けられるようになり、ピグテール１を仮保持せずにブラシ２を設置できる。【選択図】図１
2016021809.tif 000002
【特許請求の範囲】
【請求項１】
ピグテールが埋め込まれたブラシと、
前記ブラシを整流子に押し付けるためのブラシバネと、
前記ピグテールを引き出すためのスリットが形成され前記ブラシおよび前記ブラシバネを収納する箱体であって、前記整流子とは反対側の面に前記ブラシおよび前記ブラシバネを挿入するための開口部が形成されたブラシ箱と、
前記ブラシ箱の前記開口部を塞ぐキャップとを備えるモータのブラシ保持装置。
【請求項２】
前記キャップは、弾性変形する爪を持つスナップフィットであり、
前記ブラシ箱の前記開口部側には、前記スナップフィットの爪を引っ掛ける係止部が形成されていることを特徴とする請求項１記載のモータのブラシ保持装置。
【請求項３】
前記キャップの前記整流子とは反対側に配置されて前記キャップの位置ずれを防止するカバーを備えることを特徴とする請求項２記載のモータのブラシ保持装置。
【請求項４】
前記スナップフィットは着脱可能であることを特徴とする請求項２または請求項３記載のモータのブラシ保持装置。
【請求項５】
前記キャップは樹脂製であることを特徴とする請求項２から請求項４のうちのいずれか１項記載のモータのブラシ保持装置。
【請求項６】
ブラシ箱に形成されたスリットからピグテールを引き出した状態で、前記ブラシ箱の整流子とは反対側の面に形成された開口部からブラシおよびブラシバネの順番で挿入され、前記開口部がキャップで塞がれるブラシ保持装置の組立方法。
【発明の詳細な説明】
【技術分野】
【０００１】
この発明は、ブラシ付きモータにおいてブラシを保持するブラシ保持装置、およびブラシ保持装置の組立方法に関するものである。
【背景技術】
【０００２】
従来のブラシ保持装置では、ブラシはブラシ箱に収納されて保持されている（例えば、特許文献１，２参照）。このブラシ箱のブラシの奥には、ブラシを整流子に押し付けるためのブラシバネが設置されている。また、ブラシ箱には、ブラシのピグテールを引き出すためのスリットが設けられており、引き出されたピグテールの先は導通用の端子に接合される。
【先行技術文献】
【特許文献】
【０００３】
【特許文献１】特開平９−１６８２５６号公報
【特許文献２】特開２００２−１９９６６３号公報
【発明の概要】
【発明が解決しようとする課題】
【０００４】
整流子が配置されない状態ではブラシバネの弾力によりブラシがブラシ箱から飛び出ているため、整流子を配置する際に一旦ブラシをブラシ箱に押し込んでやる必要がある。そのために、治具が必要となり、モータの組立作業が煩雑になるという課題、またこのような構造で組立作業を自動化する際は組立装置が複雑になると共に設備費が増加するという課題があった。
【０００５】
前述のような課題を解決するために、例えば特許文献１では、ブラシ箱のピグテール引き出し用スリットの横にピグテール仮保持用の突起を設け、この突起にピグテールを引っ掛けることによりブラシを仮保持する構造が提案されている。また、特許文献２では、ブラシ箱のピグテール引き出し用スリットの横にピグテール仮保持用のブラシクリップを保持するための係止部材を設け、この係止部材にブラシクリップを挿入してピグテールを引っ掛けることによりブラシを仮保持する構造が提案されている。
【０００６】
ピグテールは、その使用目的から可撓性に富む材料で構成されており、どの方向にも曲がり易い。そのため、ブラシをブラシ箱に押し込んだ状態で仮保持する際に、ピグテールにブラシバネの力が加わり形状が変形し、ブラシがブラシ箱から突出するという懸念があるが、上記特許文献１，２ではこの点についての記載は無い。
【０００７】
この発明は、上記のような課題を解決するためになされたもので、ピグテールを仮保持せずにブラシを設置可能なブラシ保持装置および組立方法を提供することを目的とする。
【課題を解決するための手段】
【０００８】
この発明に係るモータのブラシ保持装置は、ピグテールが埋め込まれたブラシと、ブラシを整流子に押し付けるためのブラシバネと、ピグテールを引き出すためのスリットが形成されブラシおよびブラシバネを収納する箱体であって、整流子とは反対側の面にブラシおよびブラシバネを挿入するための開口部が形成されたブラシ箱と、ブラシ箱の開口部を塞ぐキャップとを備えるものである。
【発明の効果】
【０００９】
この発明によれば、ブラシ箱の整流子とは反対側の面に、ブラシおよびブラシバネを挿入する開口部を形成し、ブラシおよびブラシバネをブラシ箱へ挿入した後に開口部をキャップで塞ぐようにしたので、組立時にブラシを整流子に押し付けられるようになり、ピグテールを仮保持せずにブラシを設置できる。
【図面の簡単な説明】
【００１０】
【図１】この発明の実施の形態１に係るブラシ保持装置の組立前の構成を示す図である。
【図２】実施の形態１に係るブラシ保持装置を組み立てた状態を示す図である。
【図３】実施の形態１に係るブラシ保持装置を適用したモータの一例を示す断面図である。
【発明を実施するための形態】
【００１１】
実施の形態１．
図１および図２に示すように、実施の形態１に係るブラシ保持装置は、ピグテール１が埋め込まれたブラシ２と、ブラシ２を整流子１０に押し付けるためのブラシバネ３と、ブラシ２およびブラシバネ３を保持するブラシ箱４と、ブラシ箱４の開口部４ａを塞ぐキャップ５と、キャップ５の位置ずれを防止するカバー６とを含む。
【００１２】
ブラシ箱４には、ピグテール１を引き出すためのスリット４ｂが形成されている。ブラシ箱４の整流子１０とは反対側には、ブラシ２およびブラシバネ３を挿入するための開口部４ａと、キャップ５の２個の爪５ａを引っ掛けるための２個の係止部４ｃとが形成されている。さらに、ブラシ箱４の整流子１０に向き合う面には、ブラシ２を整流子１０に押し付けるための開口部４ｄが形成されている。
【００１３】
キャップ５は、弾性変形する爪５ａを２個持つスナップフィットであり、樹脂、金属等の弾性材料で構成される。爪５ａが弾性変形してブラシ箱４の係止部４ｃに引っ掛かり、キャップ５がブラシ箱４に保持された状態になる。ブラシ箱４に収納されたブラシバネ３は、一端側がキャップ５に保持され、他端側がブラシ２を整流子１０の方向へ押し付ける。このキャップ５に、ブラシバネ３の一端側を組み付ける突起５ｂを形成してもよい。
【００１４】
ブラシバネ３の保持がスナップフィットのみに依存することから、スナップフィットの破損または磨耗の発生時にブラシバネ３がブラシ箱４の開口部４ａから飛び出す懸念がある。そのため、キャップ５の外側にカバー６を設置して、スナップフィットの破損または磨耗によるキャップ５の位置ずれを防止する。これにより、スナップフィットの保持力低下によるブラシ２の整流子１０への接触圧低下を抑制できる。
特に車両用のモータ等、振動したり高温になったりする環境で使用されるモータの場合、振動および高温等の影響によりキャップ５のスナップフィットが破損または磨耗しやすいのでカバー６を設置することが望ましい。なお、使用環境によってはカバー６を設置しなくてもよい。
【００１５】
また、カバー６は、ブラシ保持装置を適用するモータの外装部品により代用可能である。ここで、図３に、ブラシ保持装置を適用したモータの一例を示す。図３の例では、カバー６はロータ１１および円板部材１２等を被覆する外装部品であり、コネクタ６ａ等が一体的に形成されている。このモータにおいて、ロータ１１と一体に回転する円板部材１２の周面に整流子１０が形成され、ブラシ２が整流子１０に対して径方向から接触するようブラシ保持装置により保持されている。外部電源から供給される直流電源がコネクタ６ａからブラシ２へ流入すると、整流子１０で整流されスリップリング１３を経由してステータ１４のコイル１５に供給され、ロータ１１に回転力が発生する。
【００１６】
次に、ブラシ保持装置の組立方法を説明する。
まず、ブラシ箱４のスリット４ｂからピグテール１を引き出しながらブラシ箱４の開口部４ａからブラシ２を挿入する。このとき、ブラシ２の先端部が開口部４ｄから突き出て整流子１０と接触するまで挿入する。なお、少なくともスリット４ｂの開口部４ａ側を開放しておくことで、ブラシ２を開口部４ａから挿入する際にピグテール１をスリット４ｂから引き出しやすい。
次に、ブラシバネ３の一端側をキャップ５に組み付けた状態で、ブラシバネ３をブラシ箱４の開口部４ａから挿入し、キャップ５の爪５ａをブラシ箱４の係止部４ｃに引っ掛けて固定する。なお、ブラシバネ３をブラシ箱４に挿入した後でキャップ５をブラシ箱４に固定しても構わない。最後に、キャップ５の背面にカバー６を装着する。
【００１７】
係止部４ｃに引っ掛ける爪５ａの角度を浅くする等、スナップフィットを着脱可能な構造にしておくことにより、ブラシ保持装置の組立後にカバー６、キャップ５、ブラシバネ３、ブラシ２の順番で脱離が可能となり、部品の交換が容易になる。これにより、摩滅したブラシ２を新しいブラシ２に簡単に交換できる。また、ブラシバネ３を交換してブラシ２の整流子１０への接触圧の変更を容易に行うことができ、ブラシ保持装置の試作試験においてブラシバネ３の荷重不足時などに対応可能である。
【００１８】
以上より、実施の形態１によれば、ブラシ保持装置の組立方法として、ブラシ箱４に形成されたスリット４ｂからピグテール１を引き出した状態で、ブラシ箱４の整流子１０とは反対側の面に形成された開口部４ａからブラシ２およびブラシバネ３の順番で挿入し、開口部４ａをキャップ５で塞ぐ手順にしたので、組立時にブラシ２を整流子１０に押し付けられるようになり、ピグテール１を仮保持せずにブラシ２を設置できる。従って、組立効率が向上する。また、ピグテール１を仮保持する治具を廃止できる。さらに、仮保持時に生じるピグテール１への応力を低減できる。
【００１９】
また、実施の形態１によれば、キャップ５を、弾性変形する爪５ａを持つスナップフィットにし、ブラシ箱４の開口部４ａ側にスナップフィットの爪５ａを引っ掛ける係止部４ｃを形成するようにしたので、組立効率が向上する。さらに、スナップフィットを着脱可能な構造にすることで、ブラシ保持装置の組立後にブラシ２およびブラシバネ３を容易に交換できる。
【００２０】
また、実施の形態１によれば、キャップ５の位置ずれを防止するカバー６を、キャップ５の整流子１０とは反対側に設置するようにしたので、キャップ５のスナップフィットの保持力が低下した場合にブラシ２の整流子１０への接触圧の低下を抑制できる。
【００２１】
また、実施の形態１によれば、キャップ５を樹脂製にすることで、安価なブラシ保持装置を実現できる。
【００２２】
なお、実施の形態１では、スナップフィットによりキャップ５をブラシ箱４に固定する構造にしたが、固定方法はこれに限定されるものではない。
【００２３】
上記以外にも、本発明はその発明の範囲内において、実施の形態の任意の構成要素の変形、または実施の形態の任意の構成要素の省略が可能である。
【符号の説明】
【００２４】
１  ピグテール、２  ブラシ、３  ブラシバネ、４  ブラシ箱、４ａ，４ｄ  開口部、４ｂ  スリット、４ｃ  係止部、５  キャップ、５ａ  爪、５ｂ  突起、６  カバー、６ａ  コネクタ、１０  整流子、１１  ロータ、１２  円板部材、１３  スリップリング、１４  ステータ、１５  コイル。
【図１】
2016021809.tif 000003
【図２】
2016021809.tif 000004
【図３】
2016021809.tif 000005